(57)【特許請求の範囲】
【請求項１】
自身が水面又は水中に落下したこと（以下「水没」と呼ぶ）を検出するとともに、前記水面又は水中から取り上げられたこと（以下「取り上げ」と呼ぶ）を検知する水没検出部と、筐体の内部に設けられた複数の発光体と、点灯信号の入力に応じて前記発光体を点灯させる点灯回路と、前記水没から取り上げまでの間、前記点灯信号を発生して前記点灯回路に入力することにより、前記発光体を点灯させる制御部とを備え、前記複数の発光体は水没姿勢のいかんに関わらず少なくとも１つは水面上から視認可能な位置に配置された電子機器において、水没姿勢を検出する姿勢検出部を有しており、この姿勢検出部で検出された水没姿勢に応じて、水面上から視認可能な発光体のみが点灯することを特徴とする電子機器。
【請求項２】
前記姿勢検出部は、水没姿勢のいかんに関わらず少なくとも１つは水没する位置に配置された複数の水没検出部であり、ある水没姿勢で水没する水没検出部と、ある水没姿勢で水面上から視認可能な位置に配置された発光体とが対応したことを特徴とする請求項１記載の電子機器。
【請求項３】
前記姿勢検出部は、水没姿勢を検出し、水没姿勢に応じた姿勢信号を送出する姿勢センサーであり、水没検出部が水没を検出した場合、姿勢センサーからの姿勢信号に応じて、検出された水没姿勢で水面上から視認可能な発光体のみが点灯することを特徴とする請求項１記載の電子機器。
【請求項４】
水没検出部が水没を検出したならば水没信号を制御部に送出し、前記制御部は自身が取り上げられるまでの間、筐体の内部に設けられた複数の発光体を点灯させる点灯信号を点灯回路に対して送出する電子機器の制御方法において、水没姿勢を検出する姿勢検出部が検出した水没姿勢に応じて、複数の発光体のうち、水面上から視認可能な発光体のみを点灯させる点灯信号を点灯回路に対して送出することを特徴とする電子機器の制御方法。
【発明の詳細な説明】
【技術分野】
【０００１】
本発明は、電子機器と、この電子機器の制御方法とに関し、特には水に落としても浮くように構成された電子機器と、この電子機器の制御方法とに関する。
【背景技術】
【０００２】
マリン用のトランシーバー等の水に近いところで使用される電子機器は、誤って水がかかったり、水に落とすことも考えられるため、内部に水がはいらないように防水されているものも多い。また、水に落としたときに水中に没してしまうと回収できなくなるため、水面に浮くようにすることも提案されている（特許文献１参照）。
【０００３】
しかし、電子機器が水面に浮いていても、夜間や視界が悪いときには、どこにあるかを見つけることができず回収できないという問題点があった。このため、本願出願人は、夜間や視界が悪いときに水に落としても、容易に発見することができる電子機器として、特許文献２記載の電子機器を創案した。
この電子機器は、『自身が水面または水中に落下したこと（以下「水没」と呼ぶ）を検出するとともに、前記水面または水中から取り上げられたこと（以下「取り上げ」と呼ぶ）を検出する水没検出部と、筐体の内部に設けられた発光体と、点灯信号の入力に応じて前記発光体を点灯させる点灯回路と、前記水没から、少なくとも前記取り上げまでの間、所定の点減周期で前記点灯信号を発生して前記点灯回路に入力することにより、前記発光体を点減させる制御部と、前記水没検出部が水没を検出したとき前記制御部に電源が供給されていなかった場合、前記制御部に電源を供給して前記制御部を起動する電源制御回路と』とを備えている。
すなわち、この電子機器では、水没すると発光体が点灯することで、夜間や視界が悪いときに水に落としても、容易に発見できるようになっている。
【０００４】
【特許文献１】実開平０４−１３５０３８号公報
【特許文献２】特開２０１３−２２９８２６号公報
【発明の開示】
【発明が解決しようとする課題】
【０００５】
しかしながら、この電子機器では、水没時に発光体を点灯させるため、夜間や視界が悪い状態のときでも容易に発見できるようになっているが、水没時にすべての発光体を点灯させるため、水面下に位置する発光体、すなわち視認できない発光体まで点灯させるため、無駄に電力を消費していた。
【０００６】
本発明は、上記事情に鑑みて創案されたもので、電子機器の浮いた状態に応じて視認できる発光体のみを発光させて、消費電力の削減を図った電子機器を提供することを目的としている。
【課題を解決するための手段】
【０００７】
本発明に係る電子機器は、自身が水面又は水中に落下したこと（以下「水没」と呼ぶ）を検出するとともに、前記水面又は水中から取り上げられたこと（以下「取り上げ」と呼ぶ）を検知する水没検出部と、筐体の内部に設けられた複数の発光体と、点灯信号の入力に応じて前記発光体を点灯させる点灯回路と、前記水没から取り上げまでの間、前記点灯信号を発生して前記点灯回路に入力することにより、前記発光体を点灯させる制御部とを備え、前記複数の発光体は水没姿勢のいかんに関わらず少なくとも１つは水面上から視認可能な位置に配置された電子機器において、水没姿勢を検出する姿勢検出部を有しており、この姿勢検出部で検出された水没姿勢に応じて、水面上から視認可能な発光体のみが点灯するように構成されている。
【０００８】
前記姿勢検出部は、水没姿勢のいかんに関わらず少なくとも１つは水没する位置に配置された複数の水没検出部であり、ある水没姿勢で水没する水没検出部と、ある水没姿勢で水面上から視認可能な位置に配置された発光体とが対応している。
【０００９】
また、前記姿勢検出部は、水没姿勢を検出し、水没姿勢に応じた姿勢信号を送出する姿勢センサーであり、水没検出部が水没を検出した場合、姿勢センサーからの姿勢信号に応じて、検出された水没姿勢で水面上から視認可能な発光体のみが点灯するように構成されている。
【００１０】
さらに、本発明に係る電子機器の制御方法は、水没検出部が水没を検出したならば水没信号を制御部に送出し、前記制御部は自身が取り上げられるまでの間、筐体の内部に設けられた複数の発光体を点灯させる点灯信号を点灯回路に対して送出する電子機器の制御方法において、水没姿勢を検出する姿勢検出部が検出した水没姿勢に応じて、複数の発光体のうち、水面上から視認可能な発光体のみを点灯させる点灯信号を点灯回路に対して送出するようになっている。
【発明の効果】
【００１１】
本発明に係る電子機器は、水没姿勢に応じて視認できる発光体のみを点灯させるようにしたので、水没時の消費電力を削減することができる。
しかも、この電子機器は、水没姿勢がどのような状態であってもいずれかの視認しやすい発光体が点灯するように構成されているので、水没姿勢を一定のものとするように各部のバランスを設定する必要がない。すなわち、電子機器の外部や内部の構造設計の制限が緩和されるというメリットもある。
【図面の簡単な説明】
【００１２】
【図１】本発明に係る電子機器としての第１の実施の形態に係るトランシーバーの外観の図面であって、同図（Ａ）は概略的正面図、同図（Ｂ）は概略的左側面図、同図（Ｃ）は概略的背面図である。
【図２】本発明に係る電子機器としての第１の実施の形態に係るトランシーバーの構成を示すブロック図である。
【図３】本発明に係る電子機器としての第１の実施の形態に係るトランシーバーが、水没時に電源がオンであり、かつ前面を上向きにした水没姿勢で水没した場合の各部の動作を示すタイミング図である。
【図４】本発明に係る電子機器としての第１の実施の形態に係るトランシーバーが、水没時に電源がオンであり、かつ背面を上向きにした水没姿勢で水没した場合の各部の動作を示すタイミング図である。
【図５】本発明に係る電子機器としての第１の実施の形態に係るトランシーバーが、水没時に電源がオフであり、かつ前面を上向きにした水没姿勢で水没した場合の各部の動作を示すタイミング図である。
【図６】本発明に係る電子機器としての第１の実施の形態に係るトランシーバーが、水没時に電源がオフであり、かつ背面を上向きにした水没姿勢で水没した場合の各部の動作を示すタイミング図である。
【図７】本発明に係る電子機器としての第１の実施の形態に係るトランシーバーの水没姿勢を示す図面であって、同図（Ａ）は前面を上向きにした水没姿勢の概略的側面図、同図（Ｂ）は背面を上向きにした水没姿勢の概略的側面図である。
【図８】本発明に係る電子機器としての第２の実施の形態に係るトランシーバーの外観の図面であって、同図（Ａ）は概略的正面図、同図（Ｂ）は概略的左側面図、同図（Ｃ）は概略的背面図である。
【図９】本発明に係る電子機器としての第２の実施の形態に係るトランシーバーの構成を示すブロック図である。
【図１０】本発明に係る電子機器としての第２の実施の形態に係るトランシーバーの水没姿勢を示す図面であって、同図（Ａ）は前面を上向きにした水没姿勢の概略的側面図、同図（Ｂ）は背面を上向きにした水没姿勢の概略的側面図である。
【発明を実施するための形態】
【００１３】
本発明の実施の形態に係る電子機器としてのトランシーバーＴ／Ｒ１は、自身が水没したことを検出するとともに、取り上げられたことを検知する姿勢検出部としての２つの水没検出部、すなわち前面側水没検出部６００Ａ及び背面側水没検出部６００Ｂと、筐体１１１の内部に設けられた２箇所の発光体としての前面側ＬＥＤ１１８Ａ及び背面側ＬＥＤ１１７Ｂと、点灯信号としての前面側ＬＥＤ点灯信号ＬＯＮＡ又は背面側ＬＥＤ点灯信号ＬＯＮＢの入力に応じて前記前面側ＬＥＤ１１８Ａ又は背面側ＬＥＤ１１７Ｂをそれぞれ点灯させる前面側点灯回路５００Ａ及び背面側点灯回路５００Ｂと、前記水没から取り上げまでの間、前記前面側ＬＥＤ点灯信号ＬＯＮＡ又は背面側ＬＥＤ点灯信号ＬＯＮＢを発生して前記前面側点灯回路５００Ａ又は背面側点灯回路５００Ｂに入力することにより、前記前面側ＬＥＤ１１８Ａ又は背面側ＬＥＤ１１７Ｂを点灯させる制御部２００とを備えたトランシーバーであって、前面側水没検出部６００Ａ及び背面側水没検出部６００Ｂは水没姿勢のいかんに関わらず少なくとも１つは水没する位置に配置され、前面側ＬＥＤ１１８Ａ及び背面側ＬＥＤ１１７Ｂは水没姿勢のいかんに関わらず少なくとも１つは水面上から視認可能な位置に配置され、前面側水没検出部６００Ａは前面を上向きにした水没姿勢での水没を検出して前面側ＬＥＤ１１８Ａを点灯させ、背面側水没検出部６００Ｂは背面を上向きにした水没姿勢での水没を検出して背面側ＬＥＤ１１７Ｂを点灯させるように構成されている。
【００１４】
図を参照しつつ、本発明を適用したトランシーバーＴ／Ｒ１の概略について説明する。
まず、このトランシーバーＴ／Ｒ１は、船舶通信用のハンディ機器であり、マリンＶＨＦバンドの無線通信を行う。トランシーバーＴ／Ｒ１は、本体１１０の上面にアンテナ１２０を設けた外観を呈している。トランシーバーＴ／Ｒ１は、電源として軽量かつ大容量のリチウムイオン電池を用いたこと等により全体の重量が軽量化され、筐体１１１が防水されていることと相まって、水に落下したときでも沈むことがなく、水面に浮き上がる。なお、本明細書では水面に落下することを便宜上「水没」と呼ぶ。
【００１５】
このトランシーバーＴ／Ｒ１は、水没すると発光体が点灯し、それと同時にアラーム音が放音され、水没と自身の所在位置とをユーザーに知らせるように構成されている。
また、このトランシーバーＴ／Ｒ１は、水没から取り上げられると、発光体の点灯とアラーム音の放音を停止し、スピーカーグリル１１２から水を抜くための排水音を放音するように構成されている。
【００１６】
次に、本発明の第１の実施の形態に係るトランシーバーＴ／Ｒ１の外観について詳細に説明する。上述したように、トランシーバーＴ／Ｒ１は、筐体１１１を含む本体１１０及び筐体１１１の上面に上方に向けて設けられたアンテナ１２０を有する外観を呈している。このアンテナ１２０は、コイル状のアンテナ線を樹脂パイプに収納したロッド状のアンテナである。アンテナ線は、銅線又は鉄線であるため重量があり、このアンテナ１２０の重量によって、トランシーバーＴ／Ｒ１の全体の重量バランスは上部に偏っている。
【００１７】
筐体１１１の前面には、上から順に、ディスプレイ１１３、キーパネル１１４、スピーカーグリル１１２が設けられている。
スピーカーグリル１１２の内部には、スピーカーＳＰが設けられている。筐体１１１の向かって左側面には、ＰＴＴ（プッシュ・トゥ・トーク）スイッチ１１５が設けられている。筐体１１１の上面のアンテナ１２０の向かって左側には防水キャップが被せられたＳＰ／ＭＩＣコネクタ１１６が設けられている。
【００１８】
ディスプレイ１１３は、液晶ディスプレイであり、背面にバックライトとしてのＬＥＤを有している。このディスプレイ１１３には、通信チャンネル、音量の他、各種の設定事項が表示される。
キーパネル１１４には、パワーキーＰＳやテンキーを含む複数のキースイッチが配置されている。パワーキーＰＳは、電源をオン／オフするためのキースイッチであり、ユーザーが一定時間（例えば２秒以上）押圧すると、トランシーバーＴ／Ｒ１の電源がオンからオフ又はオフからオンに切り替えられる。また、このキーパネル１１４の背面にもバックライトとしてのＬＥＤが設けられている。キーパネル１１４の各キースイッチは、キートップが光を透過させる材質及び色となっており、バックライトの点灯により背面から照射される。
なお、ディスプレイ１１３のバックライトとしてのＬＥＤと、キーパネル１１４のバックライトとしてのＬＥＤとはまとめて、水没したときに発光する前面側ＬＥＤ１１８Ａを兼ねている。
【００１９】
筐体１１１の背面の上部左右に設けられた一対の第１の電極６１０Ａは、前面側水没検出部６００Ａの一部を構成するものであって、トランシーバーＴ／Ｒ１が前面を上向きにした水没姿勢（図７（Ａ）参照）で水没したとき、水を介して短絡することによって相互に導通する。トランシーバーＴ／Ｒ１の制御部２００（図２参照）は、この第１の電極６１０Ａの導通によってトランシーバーＴ／Ｒ１が前面を上向きにした水没姿勢で水没したことを検出する。
また、筐体１１１の前面の下部左右に設けられた一対の第２の電極６１０Ｂは、背面側水没検出部６００Ｂの一部を構成するものであって、トランシーバーＴ／Ｒ１が背面を上向きにした水没姿勢で水没したとき（図７（Ｂ）参照）、水を介して短絡することによって相互に導通する。トランシーバーＴ／Ｒ１の制御部２００（図２参照）は、この第２の電極６１０Ｂの導通によってトランシーバーＴ／Ｒ１が背面を上向きにした水没姿勢で水没したことを検出する。
また、筐体１１１の背面の下部には、発光体としての背面側ＬＥＤ１１７Ｂが配置されている。なお、この背面側ＬＥＤ１１７Ｂは、筐体１１１の背面下部にスリット状の開口を設け、この開口を透光性を有する素材で閉塞し、筐体１１１内に設置された背面側ＬＥＤ１１７Ｂを点灯することで開口を閉塞した素材全体を発光させるようにすることも可能である。
【００２０】
図２に示すブロック図を参照しつつ、トランシーバーＴ／Ｒ１の回路構成について説明する。
この図では、トランシーバーＴ／Ｒ１の回路のうち、電源制御、オーディオ信号処理、通信制御に関連する回路を示している。
トランシーバーＴ／Ｒ１は、制御部２００と、電源制御部３００と、受信部及び送信部を含む通信部４００と、前面側点灯回路５００Ａと、背面側点灯回路５００Ｂと、前面側水没検出部６００Ａと、背面側水没検出部６００Ｂと、オーディオ部７００とを有している。
前記制御部２００は、ＣＰＵに加えて、メモリ、各種のインターフェイス、Ａ／Ｄ、Ｄ／Ａコンバータ等を備えたいわゆるマイクロコントローラであり、図３〜図６のタイミング図に示す設定動作を含むトランシーバーＴ／Ｒ１の全体動作を制御する。この制御部２００には、ディスプレイ１１３及びキーパネル１１４も接続されている。
なお、制御部２００のメモリには、このトランシーバーＴ／Ｒ１の動作を制御する制御プログラムが記憶されている。
【００２１】
電源制御部３００はバッテリー３１０を有し、制御部２００、通信部４００、２つの点灯回路、すなわち前面側点灯回路５００Ａ及び背面側点灯回路５００Ｂと、ディスプレイ１１３への電源の供給を制御する。
通信部４００の受信部４１０は、高周波信号の受信及びオーディオ信号の放音を処理する回路である。この受信部４１０の最終段にはスピーカーＳＰが接続されている。なお、このスピーカーＳＰは、オーディオ部７００との兼用である。また、通信部４００の送信部４２０は、マイクＭＩＣから入力された音声信号を高周波信号の送信信号に変換し、アンテナ１２０から送出する回路である。
【００２２】
前面側点灯回路５００Ａは、制御部２００から入力される前面側ＬＥＤ点灯信号ＬＯＮＡに応じて、発光体である前面側ＬＥＤ１１８Ａを点灯させる回路である。また、背面側点灯回路５００Ｂは、制御部２００から入力される背面側ＬＥＤ点灯信号ＬＯＮＢに応じて、発光体である背面側ＬＥＤ１１７Ｂを点灯させる回路である。
なお、上述したように、前面側ＬＥＤ１１８Ａは、ディスプレイ１１３のバックライト、キーパネル１１４のバックライトとして用いられるとともに、発光体として水没時に点灯してトランシーバーＴ／Ｒ１の所在位置を知らせる機能を果たす。
なお、図１では前面側ＬＥＤ１１８Ａをディスプレイのバックライトとして２個、キーパネル１１４のバックライトとして９個、背面側ＬＥＤ１１７Ｂを１個のみ示しているが、実際の前面側ＬＥＤ１１８は、ディスプレイ１１３及びキーパネル１１４の全体を背面から照射するのに必要な個数及び輝度を備えている。
【００２３】
電源制御部３００は、バッテリー３１０の他に、電源スイッチング回路３２０、ＯＲ回路３３０及び電源供給回路３４０を有している。バッテリー３１０は、例えばリチウムイオン電池であり、その電圧は例えば７．４Ｖである。
電源スイッチング回路３２０は、上述のパワーキーＰＳ及びホールド回路３２１を有している。ホールド回路３２１は、電源スイッチオン信号ＰＳＯＮを出力する。ホールド回路３２１は、パワーキーＰＳが一定時間以上オンされたとき電源スイッチオン信号ＰＳＯＮの状態を（Ｈ／Ｌ）を反転する。電源スイッチオン信号ＰＳＯＮは、ＯＲ回路３３０に入力される。
【００２４】
前面側水没検出部６００Ａは上述の一対の第１の電極６１０Ａを、背面側水没検出部６００Ｂは上述の一対の第２の電極６１０Ｂをそれぞれ含んでいる。
前面側水没検出部６００Ａは第１の電極６１０Ａの水没信号ＷＥＴＡを、背面側水没検出部６００Ｂは第２の電極６１０Ｂの水没信号ＷＥＴＢをそれぞれ出力する。
前面側水没検出部６００Ａは一対の第１の電極６１０Ａが導通している間、水没信号ＷＥＴＡをＬに立ち下げ、背面側水没検出部６００Ｂは一対の第２の電極６１０Ｂが導通している間、水没信号ＷＥＴＢをＬに立ち下げる。この水没信号ＷＥＴＡ、ＷＥＴＢは、電源制御部３００のＯＲ回路３３０と制御部２００とに入力される。
ＯＲ回路３３０には、電源スイッチオン信号ＰＳＯＮ、水没信号ＷＥＴＡ、ＷＥＴＢに加えて、制御部２００から出力される電源維持信号ＰＯＮも入力される。
【００２５】
ＯＲ回路３３０の出力は、電源供給回路３４０に入力される。電源供給回路３４０は、ＯＲ回路３３０からＨ信号が入力されたとき、バッテリー３１０の電力を制御部２００と、通信部４００と、前面側点灯回路５００Ａと、背面側点灯回路５００Ｂとに供給し、トランシーバーＴ／Ｒ１を電源オンの状態にする。
【００２６】
前面側点灯回路５００Ａは、制御部２００から入力される前面側ＬＥＤ点灯信号ＬＯＮＡのＨに応じて発光体である前面側ＬＥＤ１１８Ａを点灯させる。制御部２００が前面側ＬＥＤ点灯信号ＬＯＮＡのＨを維持すると前面側ＬＥＤ１１８Ａは継続的に点灯し、制御部２００が前面側ＬＥＤ点灯信号ＬＯＮＡのＨ／Ｌを周期的に切り換えると、前面側ＬＥＤ１１８Ａは点減する。ユーザーがキーパネル１１４からバックライトのオン操作を行うと、制御部２００は前面側ＬＥＤ点灯信号ＬＯＮＡをＨに立ち上げて前面側ＬＥＤ１１８Ａを点灯させる。
また、背面側点灯回路５００Ｂは、制御部２００から入力される背面側ＬＥＤ点灯信号ＬＯＮＢのＨに応じて発光体である背面側ＬＥＤ１１７Ｂを点灯させる。制御部２００が背面側ＬＥＤ点灯信号ＬＯＮＢのＨを維持すると背面側ＬＥＤ１１７Ｂは継続的に点灯し、制御部２００が背面側ＬＥＤ点灯信号ＬＯＮＢのＨ／Ｌを周期的に切り換えると、背面側ＬＥＤ１１７Ｂは点減する。
なお、水没したトランシーバーＴ／Ｒ１の発見を容易にする観点からは、前面側ＬＥＤ１１８Ａ、背面側ＬＥＤ１１７Ｂの点灯は点減であることが望ましい。
【００２７】
また、トランシーバーＴ／Ｒ１が前面を上向きにした水没姿勢で水没して（図７（Ａ）参照）、前面側水没検出部６００Ａから入力される水没信号ＷＥＴＡがＨからＬに変化したとき、制御部２００は前面側ＬＥＤ点灯信号ＬＯＮＡのＨ／Ｌを所定の点減周期に切り換えて前面側ＬＥＤ１１８Ａを点減させる。また、トランシーバーＴ／Ｒ１が取り上げられて、前面側水没検出部６００Ａから入力される水没信号ＷＥＴＡがＬからＨに変化した後も、制御部２００は所定の点減継続時間、前面側ＬＥＤ１１８Ａの点減を継続する。
なお、水没時の前面側ＬＥＤ１１８Ａの点減周期や、取り上げ後の点減継続時間はユーザーが任意に設定可能である。
【００２８】
また、トランシーバーＴ／Ｒ１が背面を上向きにした水没姿勢で水没して（図７（Ｂ）参照）、背面側水没検出部６００Ｂから入力される水没信号ＷＥＴＢがＨからＬに変化したとき、制御部２００は背面側ＬＥＤ点灯信号ＬＯＮＢのＨ／Ｌを所定の点減周期に切り換えて背面側ＬＥＤ１１７Ｂを点減させる。また、トランシーバーＴ／Ｒ１が取り上げられて、背面側水没検出部６００Ｂから入力される水没信号ＷＥＴＢがＬからＨに変化した後も、制御部２００は所定の点減継続時間、背面側ＬＥＤ１１７Ｂの点減を継続する。
なお、水没時の背面側ＬＥＤ１１７Ｂの点減周期や、取り上げ後の点減継続時間はユーザーが任意に設定可能である。
【００２９】
前記オーディオ部７００は、前面側水没検出部６００から出力される水没信号ＷＥＴＡがＨからＬに変化したとき、制御部２００からのアラーム音発生信号ＡＣＨを受けて、アラーム音を放音する。このアラーム音は、トランシーバーＴ／Ｒ１が水没したときに発生される間欠的に鳴動する音声であり、人間の聴覚で感度よく聞こえる１ｋＨｚ付近の正弦波である。なお、このアラーム音は、最大レベルでもよいが、ユーザーに存在位置を知らせ、かつバッテリー３１０の消耗を抑えることができる適度なレベルに決定されればよい。
なお、背面側水没検出部６００Ｂから出力される水没信号ＷＥＴＢがＨからＬに変化した場合は、スピーカーグリル１１２が下向きになっている、すなわちスピーカーグリル１２が水面下にあることになるので、この場合、制御部２００はアラーム音発生信号ＡＣＨを発生させない。
【００３０】
排水音は、スピーカーグリル排水動作時に発生される音声であり、３００Ｈｚの矩形波である。なお、排水音の周波数及び波形は、スピーカーＳＰの特性、スピーカーグリル１１２内の容量、トランシーバーＴ／Ｒ１の形状等の条件に合わせて適宜決定されればよいが、１００Ｈｚ〜５００Ｈｚの矩形波又は鋸波の波形が好適である。
【００３１】
制御部２００は、電源制御部３００から電源電圧が供給されることによって起動し、トランシーバーＴ／Ｒ１の動作を制御し、特に、前面側水没検出部６００Ａ、背面側水没検出部６００Ｂから入力される水没信号ＷＥＴＡ、ＷＥＴＢの変化を所定時間毎（例えば、１０ｍｓ毎）に監視し、以下の動作を実行する。なお、以下の動作説明では、水没告知動作である前面側ＬＥＤ１１８Ａ、背面側ＬＥＤ１１７Ｂの点減及びアラーム音の放音の両方がオンされている場合について、図３、図４を参照しつつ説明する。
【００３２】
水没時に電源オン状態であり、図７（Ａ）に示すように、前面を上向きにした水没姿勢で水没した場合
トランシーバーＴ／Ｒ１が図３に示すＴ１において、前面を上向きにした水没姿勢で水没すると、一対の第１の電極６１０Ａのみが導通するので、１０ｍｓ以内に前面側水没検出部６００Ａから制御部２００に入力される水没信号ＷＥＴＡがＨからＬに変化する（図３に示すＴ２）。制御部２００は、この水没信号ＷＥＴＡのＨからＬへの変化を受けて、トランシーバーＴ／Ｒ１が前面を上向きにした水没姿勢で水没したと判断して以下の動作を行う。
【００３３】
（１）前面側ＬＥＤ１１８Ａの点減
図３に示すＴ３において、発光体である前面側ＬＥＤ１１８Ａの点減を開始する。制御部２００は、この前面側ＬＥＤ１１８Ａの点減のため、前面側点灯回路５００Ａに入力される前面側ＬＥＤ点灯信号ＬＯＮＡのＨ／Ｌを所定周期で切り換える。前面側点灯回路５００Ａは、前面側ＬＥＤ点灯信号ＬＯＮＡがＨになると前面側ＬＥＤ１１８Ａを点灯させ、前面側ＬＥＤ点灯信号ＬＯＮＡがＬになると前面側ＬＥＤ１１８Ａを消灯させる。前面側ＬＥＤ点灯信号ＬＯＮＡは、所定周期でＨ／Ｌを繰り返すため、前面側ＬＥＤ１１８Ａは点減することになる。
なお、前面を上向きにした水没姿勢では、前面側の下部に設けられた第２の電極６１０Ｂは水没していないため、水没信号ＷＥＴＢは出力されず、背面側ＬＥＤ点灯信号ＬＯＮＢも出力されないので、背面側ＬＥＤ１１７Ｂは点灯しない。このため、背面側ＬＥＤ１１７Ｂは電力を消費しない。
（２）アラーム音の放音
図３に示すＴ３において、アラーム音の放音を開始する。制御部２００は、アラーム音の放音のため、オーディオ部７００にアラーム音発生信号ＡＣＨを入力する。スピーカーＳＰはアラーム音を放音し、スピーカーグリル１１２内が完全に水で塞がっていなければ、このアラーム音は外部に放音され、ユーザーに到達する。
【００３４】
図３におけるＴ４において、水没しているトランシーバーＴ／Ｒ１が水中から取り上げられると、水没信号ＷＥＴＡがＬからＨに変化し、それを受けた制御部２００は以下の動作を行う。
（１）アラーム音の停止
制御部２００は、図３におけるＴ４において、アラーム音発生信号ＡＣＨをＬとしてアラーム音の放音を停止するとともに、排水音を放音する。すなわち、制御部２００は、排水音の放音のため、オーディオ部７００に排水音発生信号ＥＣＨを入力する。
（２）前面側ＬＥＤ１１８Ａの点減継続時間等の測定を開始
制御部２００は、図３におけるＴ４において、前面側ＬＥＤ１１８Ａの点減継続時間を測定するＬＥＤ用タイマーと排水音を放音する排水音継続時間を計測する排水音用タイマーとを起動する。ＬＥＤ用タイマーのタイムアップ時間である点灯継続時間が経過してＴ５になると、前面側ＬＥＤ点灯信号ＬＯＮＡが停止されるので、前面側ＬＥＤ１１８Ａの点減が停止される。また、排水音用タイマーのタイムアップ時間である排水音継続時間が経過してＴ６になると、排水音発生信号ＥＣＨが停止されるので、排水音の放音が停止される。
なお、排水音継続時間は、スピーカーＳＰの特性、スピーカーグリル１１２内の容量、トランシーバーＴ／Ｒ１の形状等の条件に合わせて適宜決定されればよく、例えば１０秒程度が適当である。なお、この排水音継続時間は、ユーザーによって適宜に設定可能としてもよい。
（３）水没前状態への復帰
前面側ＬＥＤ１１８Ａの点灯と排水音の放音とが停止されると、すなわち図３に示すＴ６になると、ユーザーはすぐにトランシーバーＴ／Ｒ１の使用を再開することができる。
【００３５】
水没時に電源オン状態であり、図７（Ｂ）に示すように、背面を上向きにした水没姿勢で水没した場合
トランシーバーＴ／Ｒ１が図４に示すＴ１において、背面を上向きにした水没姿勢で水没すると、一対の第２の電極６１０Ｂのみが導通するので、１０ｍｓ以内に背面側水没検出部６００Ｂから制御部２００に入力される水没信号ＷＥＴＢがＨからＬに変化する（図４に示すＴ２）。制御部２００は、この水没信号ＷＥＴＢのＨからＬへの変化を受けて、トランシーバーＴ／Ｒ１が背面を上向きにした水没姿勢で水没したと判断して以下の動作を行う。
【００３６】
（１）背面側ＬＥＤ１１７Ｂの点減
図４に示すＴ３において、発光体である背面側ＬＥＤ１１７Ｂの点減を開始する。制御部２００は、この背面側ＬＥＤ１１７Ｂの点減のため、背面側点灯回路５００Ｂに入力される背面側ＬＥＤ点灯信号ＬＯＮＢのＨ／Ｌを所定周期で切り換える。点灯回路５００Ｂは、背面側ＬＥＤ点灯信号ＬＯＮＢがＨになると背面側ＬＥＤ１１７Ｂを点灯させ、背面側ＬＥＤ点灯信号ＬＯＮＢがＬになると背面側ＬＥＤ１１７Ｂを消灯させる。背面側ＬＥＤ点灯信号ＬＯＮＢは、所定周期でＨ／Ｌを繰り返すため、背面側ＬＥＤ１１７Ｂは点減することになる。
なお、背面を上向きにした水没姿勢では、背面側の第１の電極６１０Ａは水没していないため、水没信号ＷＥＴＡは出力されず、前面側ＬＥＤ点灯信号ＬＯＮＡも出力されないので、前面側ＬＥＤ１１８Ａは点灯しない。このため、前面側ＬＥＤ１１８Ａは電力を消費しない。
なお、背面を上向きにした水没姿勢では、スピーカーグリル１１２が下向きになっている、すなわちスピーカーグリル１１２が水面下にあることになるので、この場合、制御部２００はアラーム音発生信号ＡＣＨを発生させない。
【００３７】
図４におけるＴ４において、水没しているトランシーバーＴ／Ｒ１が水中から取り上げられると、水没信号ＷＥＴＢがＬからＨに変化し、それを受けた制御部２００は以下の動作を行う。
（１）背面側ＬＥＤ１１７Ｂの点減継続時間等の測定を開始
制御部２００は、図４におけるＴ４において、背面側ＬＥＤ１１７Ｂの点減継続時間を測定するＬＥＤ用タイマーと排水音を放音する排水音継続時間を計測する排水音用タイマーとを起動する。ＬＥＤ用タイマーのタイムアップ時間である点灯継続時間が経過してＴ５になると、背面側ＬＥＤ点灯信号ＬＯＮＢが停止されるので、背面側ＬＥＤ１１７Ｂの点灯が停止される。また、排水音用タイマーのタイムアップ時間である排水音継続時間が経過してＴ６になると、排水音発生信号ＥＣＨが停止されるので、排水音の放音が停止される。
なお、排水音継続時間は、スピーカーＳＰの特性、スピーカーグリル１１２内の容量、トランシーバーＴ／Ｒ１の形状等の条件に合わせて適宜決定されればよく、例えば１０秒程度が適当である。なお、この排水音継続時間は、ユーザーによって適宜に設定可能としてもよい。
（２）水没前状態への復帰
背面側ＬＥＤ１１７Ｂの点灯と排水音の放音とが停止されると、すなわち図３に示すＴ６になると、ユーザーはすぐにトランシーバーＴ／Ｒ１の使用を再開することができる。
【００３８】
水没時に電源オフ状態であり、図７（Ａ）に示すように、前面を上向きにした水没姿勢で水没した場合
電源オフ状態であっても、図５に示すＴ１においてトランシーバーＴ／Ｒ１が水没することで、第１の電極６１０Ａが水を介して導通するので、図５に示すＴ２において水没信号ＷＥＴＡがＨからＬに変化する。この水没信号ＷＥＴＡのＨからＬへの変化を受けて、ＯＲ回路３３０の出力がＨになり、電源供給回路３４０を介してバッテリー３１０の電力が制御部２００に供給される。また、図５に示すＴ２において、電源の供給が開始され、図５に示すＴ３において、前面側ＬＥＤ１１８Ａを点減させるための前面側ＬＥＤ点灯信号ＬＯＮＡがＨ／Ｌを繰り返し、前面側ＬＥＤ１１８Ａが点減を開始する。また、前面側ＬＥＤ１１８Ａの点減と同時にアラーム音発生信号ＡＣＨもＨとなり、アラーム音も放音される。
【００３９】
図５におけるＴ４においてトランシーバーＴ／Ｒ１が水中から取り上げられて、第１の電極６１０Ａの導通が解除され、水没検出部６００から制御部２００に入力される水没信号ＷＥＴＡがＬからＨに変化すると、制御部２００はトランシーバーＴ／Ｒ１が水面から取り上げられたと判断して次の動作を行う。
水没信号ＷＥＴＡがＨからＬに変化した場合には、オーディオ部７００は、図５に示すＴ４においてアラーム音発生信号ＡＣＨをＬとしてアラーム音の放音を停止し、その代わりに排水音発生信号ＥＣＨをＨとして排水音を放音する。また、同時に前面側ＬＥＤ１１８Ａの点減継続時間等の測定が開始されるので、点灯継続時間が経過して図５に示すＴ５になると前面側ＬＥＤ１１８Ａの点減が停止され、排水音継続時間が経過して図５に示すＴ６になると排水音が停止される。
また、図５に示すＴ６において、電源もオフとされる。
【００４０】
水没時に電源オフ状態であり、図７（Ｂ）に示すように、背面を上向きにした水没姿勢で水没した場合
電源オフ状態であっても、図６に示すＴ１においてトランシーバーＴ／Ｒ１が水没することで、第２の電極６１０Ｂが水を介して導通するので、図６に示すＴ２において水没信号ＷＥＴＢがＨからＬに変化する。この水没信号ＷＥＴＢのＨからＬへの変化を受けて、ＯＲ回路３３０の出力がＨになり、電源供給回路３４０を介してバッテリー３１０の電力が制御部２００に供給される。また、図６に示すＴ２において、電源の供給が開始され、図６に示すＴ３において、前面側ＬＥＤ１１８Ａを点減させるための背面側ＬＥＤ点灯信号ＬＯＮＢがＨ／Ｌを繰り返し、背面側ＬＥＤ１１７Ｂが点減を開始する。
なお、背面が上向きの水没姿勢であるので、アラーム音発生信号ＡＣＨは出力されず、アラーム音も放音されない。
【００４１】
図６におけるＴ４においてトランシーバーＴ／Ｒ１が水中から取り上げられて、第２の電極６１０Ｂの導通が解除され、水没検出部６００から制御部２００に入力される水没信号ＷＥＴＢがＬからＨに変化すると、制御部２００はトランシーバーＴ／Ｒ１が水面から取り上げられたと判断して次の動作を行う。
水没信号ＷＥＴＢがＨからＬに変化した場合には、オーディオ部７００は、図排水音発生信号ＥＣＨをＨとして排水音を放音する。また、同時に背面側ＬＥＤ１１７Ｂの点減継続時間等の測定が開始されるので、点灯継続時間が経過して図６に示すＴ５になると背面側ＬＥＤ１１７Ｂの点減が停止され、排水音継続時間が経過して図６に示すＴ６になると排水音が停止される。
また、図６に示すＴ６において、電源もオフとされる。
【００４２】
次に、第２の実施の形態に係るトランシーバーＴ／Ｒ２について、図８〜図１０を参照しつつ説明する。
上述した第１の実施の形態に係るトランシーバーＴ／Ｒ１では、２つの水没検出部６００Ａ、６００Ｂを設けていたが、第２の実施の形態に係るトランシーバーＴ／Ｒ２では水没検出部６００は１つしか設けていない。また、姿勢検出部は、水没検出部６００ではなく、専用の姿勢センサー８００が対応している。
なお、以下の説明において、トランシーバーＴ／Ｒ１と同等の部分には同じ符号、図番Ｌを付するものとする。
【００４３】
この第２の実施の形態に係るトランシーバーＴ／Ｒ２は、自身が水没したことを検出するとともに、取り上げられたことを検知する水没検出部６００と、筐体の内部に設けられた複数の発光体としての前面側ＬＥＤ１１８Ａ及び背面側ＬＥＤ１１７Ｂと、点灯信号としての前面側ＬＥＤ点灯信号ＬＯＮＡ又は背面側ＬＥＤ点灯信号ＬＯＮＢの入力に応じて前記前面側ＬＥＤ１１８Ａ又は背面側ＬＥＤ１１７Ｂを点灯させる前面側点灯回路５００Ａ及び背面側点灯回路５００Ｂと、前記水没から取り上げまでの間、前面側ＬＥＤ点灯信号ＬＯＮＡ又は背面側ＬＥＤ点灯信号ＬＯＮＢを発生して前記前面側点灯回路５００Ａ又は背面側点灯回路５００Ｂに入力することにより、前記前面側ＬＥＤ１１８Ａ又は背面側ＬＥＤ１１７Ｂを点灯させる制御部２００と、姿勢検出部としての水没姿勢を検知する姿勢センサー８００とを備えたトランシーバーであって、前記前面側ＬＥＤ１１８Ａ及び背面側ＬＥＤ１１７Ｂは水没姿勢のいかんに関わらず少なくとも１つは水面上にから視認可能な位置に配置されており、姿勢センサー８００によって検知された水没姿勢に応じて水面上から視認可能な位置にある前記前面側ＬＥＤ１１８Ａ又は背面側ＬＥＤ１１７Ｂのいずれか一方のみが発光するように構成されている。
【００４４】
この第２の実施の形態に係るトランシーバーＴ／Ｒ２に特徴的な構成として、姿勢検出部としての姿勢センサー８００の存在がある。この姿勢センサー８００は、トランシーバーＴ／Ｒ２の水没姿勢を検知するものであって、例えば傾斜センサーや加速度センサーが用いられる。
【００４５】
前記水没検出部６００は一対の電極６１０を有しており、この一対の電極が水を介して短絡することによって相互に導通する。トランシーバーＴ／Ｒ２の制御部２００は、このこの電極６１０の導通によってトランシーバーＴ／Ｒ２の水没を検出する。
従って、この水没検出部６００の一対の電極６１０は、水没すると水没姿勢に関わらず、必ず水没する箇所に設置される必要がある。
例えば、前面が上向き（図１０（Ａ）参照）、背面が上向き（図１０（Ｂ）参照）に関わらず、各部のバランスを本体１１０の上面が必ず水没するように設計したトランシーバーＴ／Ｒ２であれば、図８に示すように本体１１０の上面に一対の電極６１０を設置することになる。
【００４６】
この第２の実施の形態に係るトランシーバーＴ／Ｒ２の外観で、第１の実施の形態に係るトランシーバーＴ／Ｒ１と異なる点は、上述した電極６１０のみである。
すなわち、トランシーバーＴ／Ｒ２は、筐体１１１を含む本体１１０及び筐体１１１の上面に上方に向けて設けられたアンテナ１２０を有する外観を呈している。このアンテナ１２０は、コイル状のアンテナ線を樹脂パイプに収納したロッド状のアンテナである。
アンテナ線は、銅線又は鉄線であるため重量があり、このアンテナ１２０の重量によって、トランシーバーＴ／Ｒ１の全体の重量バランスは上部に偏っている。
【００４７】
筐体１１１の前面には、上から順に、ディスプレイ１１３、キーパネル１１４、スピーカーグリル１１２が設けられている。
スピーカーグリル１１２の内部には、スピーカーＳＰが設けられている。筐体１１１の向かって左側面には、ＰＴＴ（プッシュ・トゥ・トーク）スイッチ１１５が設けられている。筐体１１１の上面のアンテナ１２０の向かって左側には防水キャップが被せられたＳＰ／ＭＩＣコネクタ１１６が設けられている。
【００４８】
ディスプレイ１１３は、液晶ディスプレイであり、背面にバックライトとしてのＬＥＤを有している。このディスプレイ１１３には、通信チャンネル、音量の他、各種の設定事項が表示される。
キーパネル１１４には、パワーキーＰＳやテンキーを含む複数のキースイッチが配置されている。パワーキーＰＳは、電源をオン／オフするためのキースイッチであり、ユーザーが一定時間（例えば２秒以上）押圧すると、トランシーバーＴ／Ｒ２の電源がオンからオフ又はオフからオンに切り替えられる。また、このキーパネル１１４の背面にもバックライトとしてのＬＥＤが設けられている。キーパネル１１４の各キースイッチは、キートップが透明又は半透明になっており、バックライトの点灯により背面から照射される。
なお、ディスプレイ１１３のバックライトとしてのＬＥＤと、キーパネル１１４のバックライトとしてのＬＥＤとはまとめて、水没したときに発光する前面側ＬＥＤ１１８Ａを兼ねている。
【００４９】
本体１１０の上面に設けられた一対の電極６１０は、水没検出部６００の一部を構成するものである。また、トランシーバーＴ／Ｒ２は、アンテナ１２０の重みにより全体の重量バランスが上部に偏っており、アンテナ１２０のある筐体１１１上部が水中方向に向いた状態で水面に浮かぶように内部の重心バランスが調整されている。従って、トランシーバーＴ／Ｒ２がどのような水没姿勢で水没しても、一対の電極６１０は水を介して短絡することによって相互に導通する。トランシーバーＴ／Ｒ２の制御部２００（図９参照）は、この電極６１０の導通によってトランシーバーＴ／Ｒ２の水没を検出する。
なお、筐体１１１の背面の下部には、発光体としての背面側ＬＥＤ１１７Ｂが配置されている。
【００５０】
図９に示すブロック図を参照しつつ、トランシーバーＴ／Ｒ２の回路構成について説明する。
この図では、トランシーバーＴ／Ｒ２の回路のうち、電源制御、オーディオ信号処理、通信制御に関連する回路を示している。
トランシーバーＴ／Ｒ２は、制御部２００と、電源制御部３００と、受信部及び送信部を含む通信部４００と、前面側点灯回路５００Ａと、背面側点灯回路５００Ｂと、水没検出部６００と、オーディオ部７００と、姿勢センサー８００とを有している。
前記制御部２００は、ＣＰＵに加えて、メモリ、各種のインターフェイス、Ａ／Ｄ、Ｄ／Ａコンバータ等を備えたいわゆるマイクロコントローラであり、図３〜図４のタイミング図に示す設定動作を含むトランシーバーＴ／Ｒ２の全体動作を制御する。この制御部２００には、ディスプレイ１１３及びキーパネル１１４も接続されている。
なお、制御部２００のメモリには、このトランシーバーＴ／Ｒ２の動作を制御する制御プログラムが記憶されている。
【００５１】
電源制御部３００はバッテリー３１０を有し、制御部２００、通信部４００、２つの点灯回路、すなわち前面側点灯回路５００Ａ及び背面側点灯回路５００Ｂと、ディスプレイ１１３への電源の供給を制御する。
通信部４００の受信部４１０は、高周波信号の受信及びオーディオ信号の放音を処理する回路である。この受信部４１０の最終段にはスピーカーＳＰが接続されている。なお、このスピーカーＳＰは、オーディオ部７００との兼用である。また、通信部４００の送信部４２０は、マイクＭＩＣから入力された音声信号を高周波信号の送信信号に変換し、アンテナ１２０から送出する回路である。
【００５２】
前面側点灯回路５００Ａは、制御部２００から入力される前面側ＬＥＤ点灯信号ＬＯＮＡに応じて、発光体である前面側ＬＥＤ１１８Ａを点灯させる回路である。また、背面側点灯回路５００Ｂは、制御部２００から入力される背面側ＬＥＤ点灯信号ＬＯＮＢに応じて、発光体である背面側ＬＥＤ１１７Ｂを点灯させる回路である。
なお、上述したように、前面側ＬＥＤ１１８Ａは、ディスプレイ１１３のバックライト、キーパネル１１４のバックライトとして用いられるとともに、発光体として水没時に点灯してトランシーバーＴ／Ｒ２の所在位置を知らせる機能を果たす。
なお、図８では前面側ＬＥＤ１１８Ａをディスプレイのバックライトとして２個、キーパネル１１４のバックライトとして９個、背面側ＬＥＤ１１７Ｂを１個のみ示しているが、実際の前面側ＬＥＤ１１８は、ディスプレイ１１３及びキーパネル１１４の全体を背面から照射するのに必要な個数及び輝度を備えている。
【００５３】
電源制御部３００は、バッテリー３１０の他に、電源スイッチング回路３２０、ＯＲ回路３３０及び電源供給回路３４０を有している。バッテリー３１０は、例えばリチウムイオン電池であり、その電圧は例えば７．４Ｖである。
電源スイッチング回路３２０は、上述のパワーキーＰＳ及びホールド回路３２１を有している。ホールド回路３２１は、電源スイッチオン信号ＰＳＯＮを出力する。ホールド回路３２１は、パワーキーＰＳが一定時間以上オンされたとき電源スイッチオン信号ＰＳＯＮの状態を（Ｈ／Ｌ）を反転する。電源スイッチオン信号ＰＳＯＮは、ＯＲ回路３３０に入力される。
【００５４】
水没検出部６００は上述の一対の電極６１０を含んでおり、一対の電極６１０が水を介して導通すると、水没信号ＷＥＴをＬに立ち下げる。この水没信号ＷＥＴは、電源制御部３００のＯＲ回路３３０と制御部２００とに入力される。
ＯＲ回路３３０には、電源スイッチオン信号ＰＳＯＮ、水没信号ＷＥＴに加えて、制御部２００から出力される電源維持信号ＰＯＮも入力される。
【００５５】
姿勢センサー８００から出力される姿勢信号ＳＯは、制御部２００に入力される。制御部２００は、この姿勢信号ＳＯによってトランシーバーＴ／Ｒ２の姿勢を検知することになる。
【００５６】
ＯＲ回路３３０の出力は、電源供給回路３４０に入力される。電源供給回路３４０は、ＯＲ回路３３０からＨ信号が入力されたとき、バッテリー３１０の電力を制御部２００と、通信部４００と、前面側点灯回路５００Ａと、背面側点灯回路５００Ｂとに供給し、トランシーバーＴ／Ｒ２を電源オンの状態にする。
【００５７】
前面側点灯回路５００Ａは、制御部２００から入力される前面側ＬＥＤ点灯信号ＬＯＮＡのＨに応じて発光体である前面側ＬＥＤ１１８Ａを点灯させる。制御部２００がＬＥＤ点灯信号ＬＯＮＡのＨを維持すると前面側ＬＥＤ１１８Ａは継続的に点灯し、制御部２００がＬＥＤ点灯信号ＬＯＮＡのＨ／Ｌを周期的に切り換えると、前面側ＬＥＤ１１８Ａは点減する。ユーザーがキーパネル１１４からバックライトのオン操作を行うと、制御部２００はＬＥＤ点灯信号ＬＯＮＡをＨに立ち上げて前面側ＬＥＤ１１８Ａを点灯させる。
また、背面側点灯回路５００Ｂは、制御部２００から入力されるＬＥＤ点灯信号ＬＯＮＢのＨに応じて発光体である背面側ＬＥＤ１１７Ｂを点灯させる。制御部２００がＬＥＤ点灯信号ＬＯＮＢのＨを維持すると背面側ＬＥＤ１１７Ｂは継続的に点灯し、制御部２００がＬＥＤ点灯信号ＬＯＮＢのＨ／Ｌを周期的に切り換えると、背面側ＬＥＤ１１７Ｂは点減する。
なお、水没したトランシーバーＴ／Ｒ２の発見を容易にする観点からは、前面側ＬＥＤ１１８Ａ、背面側ＬＥＤ１１７Ｂの点灯は点減であることが望ましい。
【００５８】
また、トランシーバーＴ／Ｒ２が前面を上向きにした水没姿勢で水没して（図１０（Ａ）参照）、水没検出部６００から入力される水没信号ＷＥＴがＨからＬに変化したとき、制御部２００は前記姿勢信号ＳＯによってトランシーバーＴ／Ｒ２が前面を上向きにした水没姿勢であることを検知し、前面側ＬＥＤ点灯信号ＬＯＮＡのＨ／Ｌを所定の点減周期に切り換えて前面側ＬＥＤ１１８Ａを点減させる。また、トランシーバーＴ／Ｒ２が取り上げられて、水没検出部６００から入力される水没信号ＷＥＴがＬからＨに変化した後も、制御部２００は所定の点減継続時間、前面側ＬＥＤ１１８Ａの点減を継続する。
なお、水没時の前面側ＬＥＤ１１８Ａの点減周期や、取り上げ後の点減継続時間はユーザーが任意に設定可能である。
【００５９】
また、トランシーバーＴ／Ｒ２が背面を上向きにした水没姿勢で水没して（図１０（Ｂ）参照）、水没検出部６００から入力される水没信号ＷＥＴがＨからＬに変化したとき、制御部２００は前記姿勢信号ＳＯによってトランシーバーＴ／Ｒ２が前面を上向きにした水没姿勢であることを検知し、背面側ＬＥＤ点灯信号ＬＯＮＢのＨ／Ｌを所定の点減周期に切り換えて背面側ＬＥＤ１１７Ｂを点減させる。また、トランシーバーＴ／Ｒ２が取り上げられて、水没検出部６００から入力される水没信号ＷＥＴがＬからＨに変化した後も、制御部２００は所定の点減継続時間、背面側ＬＥＤ１１７Ｂの点減を継続する。
なお、水没時の背面側ＬＥＤ１１７Ｂの点減周期や、取り上げ後の点減継続時間はユーザーが任意に設定可能である。
【００６０】
前記オーディオ部７００は、水没検出部６００から出力される水没信号ＷＥＴがＨからＬに変化し、かつ制御部２００は前記姿勢信号ＳＯによってトランシーバーＴ／Ｒ２が前面を上向きにした水没姿勢であることを検知したとき、制御部２００からのアラーム音発生信号ＡＣＨを受けて、アラーム音を放音する。このアラーム音は、トランシーバーＴ／Ｒ２が水没したときに発生される間欠的に鳴動する音声であり、人間の聴覚で感度よく聞こえる１ｋＨｚ付近の正弦波である。なお、このアラーム音は、最大レベルでもよいが、ユーザーに存在位置を知らせ、かつバッテリー３１０の消耗を抑えることができる適度なレベルに決定されればよい。
なお、水没検出部６００から出力される水没信号ＷＥＴがＨからＬに変化しても、制御部２００は前記姿勢信号ＳＯによってトランシーバーＴ／Ｒ２が背面を上向きにした水没姿勢であることを検知した場合は、スピーカーグリル１１２が下向きになっている、すなわちスピーカーグリル１１２が水面下にあることになるので、この場合、制御部２００はアラーム音発生信号ＡＣＨを発生させない。
【００６１】
排水音は、スピーカーグリル排水動作時に発生される音声であり、３００Ｈｚの矩形波である。なお、排水音の周波数及び波形は、スピーカーＳＰの特性、スピーカーグリル１１２内の容量、トランシーバーＴ／Ｒ２の形状等の条件に合わせて適宜決定されればよいが、１００Ｈｚ〜５００Ｈｚの矩形波又は鋸波の波形が好適である。
【００６２】
制御部２００は、電源制御部３００から電源電圧が供給されることによって起動し、トランシーバーＴ／Ｒ２の動作を制御し、特に、水没検出部６００から入力される水没信号ＷＥＴの変化を所定時間毎（例えば、１０ｍｓ毎）に監視し、以下の動作を実行する。なお、以下の動作説明では、水没告知動作である前面側ＬＥＤ１１８Ａ、背面側ＬＥＤ１１７Ｂの点減及びアラーム音の放音の両方がオンされている場合について説明する。
【００６３】
水没時に電源オン状態であり、図１０（Ａ）に示すように、前面を上向きにした水没姿勢で水没した場合
トランシーバーＴ／Ｒ２が、前面を上向きにした水没姿勢で水没すると、一対の電極６１０が導通するので、１０ｍｓ以内に水没検出部６００から制御部２００に入力される水没信号ＷＥＴがＨからＬに変化する。制御部２００は、この水没信号ＷＥＴのＨからＬへの変化を受けるとともに、姿勢センサー８００からの姿勢信号ＳＯを受けて、トランシーバーＴ／Ｒ２が前面を上向きにした水没姿勢で水没したと判断して以下の動作を行う。
【００６４】
（１）前面側ＬＥＤ１１８Ａの点減
発光体である前面側ＬＥＤ１１８Ａの点減を開始する。制御部２００は、この前面側ＬＥＤ１１８Ａの点減のため、前面側点灯回路５００Ａに入力される前面側ＬＥＤ点灯信号ＬＯＮＡのＨ／Ｌを所定周期で切り換える。前面側点灯回路５００Ａは、前面側ＬＥＤ点灯信号ＬＯＮＡがＨになると前面側ＬＥＤ１１８Ａを点灯させ、ＬＥＤ点灯信号ＬＯＮＡがＬになると前面側ＬＥＤ１１８Ａを消灯させる。前面側ＬＥＤ点灯信号ＬＯＮＡは、所定周期でＨ／Ｌを繰り返すため、前面側ＬＥＤ１１８Ａは点減することになる。
なお、前面を上向きにした水没姿勢では、背面側ＬＥＤ点灯信号ＬＯＮＢは出力されないので、背面側ＬＥＤ１１７Ｂは点灯しない。このため、背面側ＬＥＤ１１７Ｂは電力を消費しない。
（２）アラーム音の放音
アラーム音の放音を開始する。制御部２００は、アラーム音の放音のため、オーディオ部７００にアラーム音発生信号ＡＣＨを入力する。スピーカーＳＰはアラーム音を放音し、スピーカーグリル１１２内が完全に水で塞がっていなければ、このアラーム音は外部に放音され、ユーザーに到達する。
【００６５】
水没しているトランシーバーＴ／Ｒ２が水中から取り上げられると、水没信号ＷＥＴがＬからＨに変化し、それを受けた制御部２００は以下の動作を行う。
（１）アラーム音の停止
制御部２００は、アラーム音発生信号ＡＣＨをＬとしてアラーム音の放音を停止するとともに、排水音を放音する。すなわち、排水音の放音のため、オーディオ部７００に排水音発生信号ＥＣＨを入力する。
（２）前面側ＬＥＤ１１８Ａの点減継続時間等の測定を開始
制御部２００は、前面側ＬＥＤ１１８Ａの点減継続時間を測定するＬＥＤ用タイマーと排水音を放音する排水音継続時間を計測する排水音用タイマーとを起動する。ＬＥＤ用タイマーのタイムアップ時間である点灯継続時間が経過すると、ＬＥＤ点灯信号ＬＯＮＡが停止されるので、前面側ＬＥＤ１１８Ａの点減が停止される。また、排水音用タイマーのタイムアップ時間である排水音継続時間が経過すると、排水音発生信号ＥＣＨが停止されるので、排水音の放音が停止される。
なお、排水音継続時間は、スピーカーＳＰの特性、スピーカーグリル１１２内の容量、トランシーバーＴ／Ｒ２の形状等の条件に合わせて適宜決定されればよく、例えば１０秒程度が適当である。なお、この排水音継続時間は、ユーザーによって適宜に設定可能としてもよい。
（３）水没前状態への復帰
前面側ＬＥＤ１１８Ａの点灯と排水音の放音とが停止されると、ユーザーはすぐにトランシーバーＴ／Ｒ２の使用を再開することができる。
【００６６】
水没時に電源オン状態であり、図１０（Ｂ）に示すように、背面を上向きにした水没姿勢で水没した場合
トランシーバーＴ／Ｒ２が、背面を上向きにした水没姿勢で水没すると、一対の電極６１０が導通するので、１０ｍｓ以内に水没検出部６００から制御部２００に入力される水没信号ＷＥＴがＨからＬに変化する。制御部２００は、この水没信号ＷＥＴのＨからＬへの変化を受けるとともに、姿勢センサー８００からの姿勢信号ＳＯを受けて、トランシーバーＴ／Ｒ２が前面を上向きにした水没姿勢で水没したと判断して以下の動作を行う。        
【００６７】
（１）背面側ＬＥＤ１１７Ｂの点減
発光体である背面側ＬＥＤ１１７Ｂの点減を開始する。制御部２００は、この背面側ＬＥＤ１１７Ｂの点減のため、点灯回路５００Ｂに入力される背面側ＬＥＤ点灯信号ＬＯＮＢのＨ／Ｌを所定周期で切り換える。点灯回路５００Ｂは、背面側ＬＥＤ点灯信号ＬＯＮＢがＨになると背面側ＬＥＤ１１７Ｂを点灯させ、背面側ＬＥＤ点灯信号ＬＯＮＢがＬになると背面側ＬＥＤ１１７Ｂを消灯させる。ＬＥＤ点灯信号ＬＯＮＢは、所定周期でＨ／Ｌを繰り返すため、背面側ＬＥＤ１１７Ｂは点減することになる。
なお、背面を上向きにした水没姿勢では、前面側ＬＥＤ点灯信号ＬＯＮＡが出力されないので、前面側ＬＥＤ１１８Ａは点灯しない。このため、前面側ＬＥＤ１１８Ａは電力を消費しない。
なお、背面を上向きにした水没姿勢では、スピーカーグリル１１２が下向きになっている、すなわちスピーカーグリル１１２が水面下にあることになるので、この場合、制御部２００はアラーム音発生信号ＡＣＨを発生させない。
【００６８】
水没しているトランシーバーＴ／Ｒ２が水中から取り上げられると、水没信号ＷＥＴがＬからＨに変化し、それを受けた制御部２００は以下の動作を行う。
（１）背面側ＬＥＤ１１７Ｂの点減継続時間等の測定を開始
制御部２００は、背面側ＬＥＤ１１７Ｂの点減継続時間を測定するＬＥＤ用タイマーと排水音を放音する排水音継続時間を計測する排水音用タイマーとを起動する。ＬＥＤ用タイマーのタイムアップ時間である点灯継続時間が経過すると、背面側ＬＥＤ点灯信号ＬＯＮＢが停止されるので、背面側ＬＥＤ１１７Ｂの点灯が停止される。また、排水音用タイマーのタイムアップ時間である排水音継続時間が経過すると、排水音発生信号ＥＣＨが停止されるので、排水音の放音が停止される。
なお、排水音継続時間は、スピーカーＳＰの特性、スピーカーグリル１１２内の容量、トランシーバーＴ／Ｒ２の形状等の条件に合わせて適宜決定されればよく、例えば１０秒程度が適当である。なお、この排水音継続時間は、ユーザーによって適宜に設定可能としてもよい。
（２）水没前状態への復帰
背面側ＬＥＤ１１７Ｂの点灯と排水音の放音とが停止されると、ユーザーはすぐにトランシーバーＴ／Ｒ２の使用を再開することができる。
【００６９】
水没時に電源オフ状態であり、図１０（Ａ）に示すように、前面を上向きにした水没姿勢で水没した場合
電源オフ状態であっても、トランシーバーＴ／Ｒ２が水没することで、電極６１０が水を介して導通するので、水没信号ＷＥＴがＨからＬに変化する。この水没信号ＷＥＴのＨからＬへの変化を受けて、ＯＲ回路３３０の出力がＨになり、電源供給回路３４０を介してバッテリー３１０の電力が制御部２００に供給される。また、制御部２００は、この水没信号ＷＥＴのＨからＬへの変化を受けるとともに、姿勢センサー８００からの姿勢信号ＳＯを受けて、トランシーバーＴ／Ｒ２が前面を上向きにした水没姿勢で水没したと判断して、前面側ＬＥＤ１１８Ａを点減させるための前面側ＬＥＤ点灯信号ＬＯＮＡを出力する。この前面側ＬＥＤ点灯信号ＬＯＮＢがＨ／Ｌを繰り返し、前面側ＬＥＤ１１８Ａが点減を開始する。また、前面側ＬＥＤ１１８Ａの点減と同時にアラーム音発生信号ＡＣＨもＨとなり、アラーム音も放音される。
【００７０】
トランシーバーＴ／Ｒ２が水中から取り上げられて、電極６１０の導通が解除され、水没検出部６００から制御部２００に入力される水没信号ＷＥＴがＬからＨに変化すると、制御部２００はトランシーバーＴ／Ｒ２が水面から取り上げられたと判断して次の動作を行う。
水没信号ＷＥＴがＨからＬに変化した場合には、アラーム音発生信号ＡＣＨをＬとしてアラーム音の放音を停止し、その代わりに排水音発生信号ＥＣＨをＨとして排水音を放音する。また、同時に前面側ＬＥＤ１１８Ａの点減継続時間等の測定が開始されるので、点灯継続時間が経過すると前面側ＬＥＤ１１８Ａの点減が停止され、排水音継続時間が経過すると排水音が停止される。
また、これらの前面側ＬＥＤ１１８Ａの点減及び排水音の停止と同時に電源もオフされる。
【００７１】
水没時に電源オフ状態であり、図１０（Ｂ）に示すように、背面を上向きにした水没姿勢で水没した場合
電源オフ状態であっても、トランシーバーＴ／Ｒ２が水没することで、電極６１０が水を介して導通するので、水没信号ＷＥＴがＨからＬに変化する。この水没信号ＷＥＴのＨからＬへの変化を受けて、ＯＲ回路３３０の出力がＨになり、電源供給回路３４０を介してバッテリー３１０の電力が制御部２００に供給される。また、制御部２００は、水没信号ＷＥＴのＨからＬに変化と、姿勢センサー８００からの姿勢信号ＳＯを受けて、トランシーバーＴ／Ｒ２が背面を上向きにした水没姿勢で水没したと判断して、背面側ＬＥＤ１１７Ｂを点減させるための背面側ＬＥＤ点灯信号ＬＯＮＢを出力する。電源の供給が開始され、背面側ＬＥＤ１１７Ｂを点減させるための背面側ＬＥＤ点灯信号ＬＯＮＢがＨ／Ｌを繰り返し、背面側ＬＥＤ１１７Ｂが点減を開始する。
なお、背面が上向きの水没姿勢であるので、アラーム音発生信号ＡＣＨは出力されず、アラーム音も放音されない。
【００７２】
トランシーバーＴ／Ｒ２が水中から取り上げられて、電極６１０の導通が解除され、水没検出部６００から制御部２００に入力される水没信号ＷＥＴがＬからＨに変化すると、制御部２００はトランシーバーＴ／Ｒ２が水面から取り上げられたと判断して次の動作を行う。
水没信号ＷＥＴがＨからＬに変化した場合には、排水音発生信号ＥＣＨをＨとして排水音を放音する。また、同時に背面側ＬＥＤ１１７Ｂの点減継続時間等の測定が開始されるので、点灯継続時間が経過すると背面側ＬＥＤ１１７Ｂの点減が停止され、排水音継続時間が経過すると排水音が停止される。
また、これらの背面側ＬＥＤ１１７Ｂの点減及び排水音の停止と同時に電源もオフされる。
【００７３】
なお、上述した２つの実施の形態では，発光体としてディスプレイ１１３のバックライトとしてのＬＥＤと、キーパネル１１４のバックライトとしてのＬＥＤとを前面側ＬＤＥ１１８Ａに流用したが、本発明はこれに限定されるものではない。いずれか一方のＬＥＤのみを用いてもよいし、専用の別個の発光体を設けてもよいことはいうまでもない。
【００７４】
また、上述した実施の形態では、発光体としての前面側ＬＥＤ１１８Ａ又は背面側ＬＥＤＥ１１７Ｂの点灯とアラーム音の放音とを同時に行うとしたが、いずれか一方のみを行うようにしてもよい。いずれを行うかはユーザーが選択できるようにしてもよい。
さらに、上述した実施の形態では、トランシーバーＴ／Ｒ１、Ｔ／Ｒ２を取り上げた後、排水音を放音するとしたが、排水音の放音を行わないものであってもよいことはいうまでもない。
【００７５】
また、上述した実施の形態では、電子機器の例として船舶通信用のハンディ型のトランシーバーを例としたが、据え置き式のトランシーバー、通常の携帯電話やラジオ受信機、パーソナルコンピューター等であってもよい。
【００７６】
さらに、上述した実施の形態では、アラーム音と排水音とを放音するためのオーディオ部７００を設けたが、このオーディオ部７００は、通信部４００の受信部４１０の後段部分、詳細には制御部２００からのアラーム音発生信号ＡＣＨ、排水音発生信号ＥＣＨを受けて放音を行う増幅部等と兼用することも可能である。
【符号の説明】
【００７７】
１１１    筐体
１１７Ｂ  背面側ＬＥＤ（発光体）
１１８Ａ  前面側ＬＥＤ（発光体）
２００    制御部
５００Ａ  前面側点灯回路
５００Ｂ  背面側点灯回路
６００Ａ  前面側水没検出部
６００Ｂ  背面側水没検出部
ＬＯＮＡ  前面側ＬＥＤ点灯信号（点灯信号）
ＬＯＮＢ  背面側ＬＥＤ点灯信号（点灯信号）
【図１】
0006447346.tif 000002
【図２】
0006447346.tif 000003
【図３】
0006447346.tif 000004
【図４】
0006447346.tif 000005
【図５】
0006447346.tif 000006
【図６】
0006447346.tif 000007
【図７】
0006447346.tif 000008
【図８】
0006447346.tif 000009
【図９】
0006447346.tif 000010
【図１０】
0006447346.tif 000011